(57)【特許請求の範囲】
【請求項１】
用紙利用時の操作に応動して、収納した連続用紙を所定の様式で排出する用紙排出機構において、連続用紙収納部と、連続用紙収納部から取り出し口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により異状信号を表示する表示手段とからなり、取り出し口から用紙を強制的に引き出したとき、ガイド部の移動により生じる検出手段の出力信号に基づき、表示手段に異状信号を表示するように構成したことを特徴とする用紙排出機構。
【請求項２】
用紙利用時の操作に応動して、収納した連続用紙を所定の様式で排出する用紙排出機構において、連続用紙収納部と、連続用紙収納部から取り出し口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により強制的に連続用紙の切断信号を出力する信号手段とからなり、取り出し口から連続用紙を強制的に引き出したとき、ガイド部の移動により生じる検出手段の出力信号に基づき、信号手段が作動して強制的に連続用紙を切断するように構成したことを特徴とする用紙排出機構。
【請求項３】
券購入の操作に応動して、収納した連続用紙を所定の様式で券売する発券機の用紙排出機構において、連続用紙収納部と、連続用紙収納部から券売口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により異状信号を表示する表示手段とからなり、券売口から用紙を強制的に引き出したとき、ガイド部の移動により生じる検出手段の出力信号に基づき、表示手段に異状信号を表示するように構成したことを特徴とする発券機の用紙排出機構。
【請求項４】
券購入の操作に応動して、収納した連続用紙を所定の様式で券売する発券機の用紙排出機構において、連続用紙収納部と、連続用紙収納部から券売口へ用紙を送出する用紙排出部と、連続用紙を所定の長さで切断する切断手段と、連続用紙収納部と用紙排出部との間で連続用紙を偏倚させるガイド部と、ガイド部を移動自在に保持する保持手段と、保持手段の移動により作動して信号を出力する検出手段と、検出手段の出力信号により強制的に連続用紙の切断信号を出力する信号手段とからなり、券売口から連続用紙を強制的に引き出したとき、ガイド部の移動により生じる検出手段の出力信号に基づき、信号手段が作動して強制的に連続用紙を切断するように構成したことを特徴とする発券機の用紙排出機構。
【請求項５】
前記表示手段による異状信号の表示は、音を介して行われることを特徴とする請求項１または３に記載の用紙排出機構。
【請求項６】
前記検出手段の出力信号により撮像装置１１ｃが作動して、発券機の周辺を撮影して、周囲の状況を録画するように作動するように構成したことを特徴とする請求項２または請求項４に記載の発券機の用紙排出機構。
【発明の詳細な説明】
【０００１】
【発明の属する技術分野】
本発明は、用紙利用時の操作に応動して、収納した連続用紙を所定の様式で排出する用紙排出機構に関する。
【０００２】
【従来の技術】
従来、自動券売機などで連続用紙を利用の都度、必要な量だけ切断して取り出すようにした用紙排出機構が知られている。
【０００３】
図３は、用紙排出機構を内蔵した自動券売機の主要部機構の説明図で、外装ケース３１の正面側には、用紙を排出する取り出し口３２があり、内部には連続したロール紙３３が内蔵されている。この連続ロール紙には、販売される種類に対応した券のデザインで印刷された用紙が収納されている。連続ロール紙３３は、プリンター３４のヘッド３４ａとプラテンローラ３４ｂとによって、購入日付や購入席種別等が印刷され、送りローラ３５によって取り出し口３２へ送り出される。この場合に各購入券は、一枚毎の間隔でプリンター３４と送りローラ３５との間に設置したオートカッター３６によって、自動的に切り離され取り出し口に送り出される。
このような用紙排出機構において、通常は用紙利用時の操作に応動して、収納した連続用紙３３を所定の様式で印刷して排出するが、用紙取り出し口から強制的に用紙を引き出そうとすると、オートカッター３６が作動する前に用紙が引き出されるために、用紙の送り出し機構３５などに異状が生じて機械の故障原因となったり、連続用紙３３が必要以上に引き出されたりするという不具合があった。
【０００４】
【発明が解決しようとする課題】
高額の金券やチケットの自動券売機において、盗難や悪用を目的として不正に用紙が引き出されると、不当に高金額が記入された金券となったり、或いは重複したチケットが不正に流通する結果となったりして、被害が大きく問題となる。また、印字装置によって発券時に必要事項をプリントして排出するようにした自動券売機では、印字装置や用紙送り装置に故障を生じる虞がある。
本発明は、このような不具合を解消して、収納した連続用紙を確実に所定の様式で排出する用紙排出機構を提供することを目的とする。
【０００５】
【課題を解決するための手段】
上記課題を解決するために、請求項1の発明にかかる用紙排出機構は、用紙利用時の操作に応動して、収納した連続用紙を所定の様式で排出する用紙排出機構において、連続用紙収納部と、連続用紙収納部から取り出し口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により異状信号を表示する表示手段とからなり、取り出し口から用紙を強制的に引き出したとき、ガイド部の移動により生じる検出手段の出力信号に基づき、表示手段に異状信号を表示するように構成したものである。
【０００６】
また、請求項２の発明にかかる用紙排出機構は、用紙利用時の操作に応動して、収納した連続用紙を所定の様式で排出する用紙排出機構において、連続用紙収納部と、連続用紙収納部から取り出し口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により強制的に連続用紙の切断信号を出力する信号手段とからなり、取り出し口から連続用紙を強制的に引き出したとき、ガイド部の移動により生じる検出手段の出力信号に基づき、信号手段が作動して強制的に連続用紙を切断するように構成したものである。
【０００７】
さらに、請求項３の発明にかかる用紙排出機構は、券購入の操作に応動して、収納した連続用紙を所定の様式で券売する発券機の用紙排出機構において、連続用紙収納部と、連続用紙収納部から券売口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により異状信号を表示する表示手段とからなり、券売口から用紙を強制的に引き出したとき、ガイド部の移動により生じる検出手段の出力信号に基づき、表示手段に異状信号を表示するように構成したものである。
【０００８】
さらに、請求項４の発明にかかる用紙排出機構は、券購入の操作に応動して、収納した連続用紙を所定の様式で券売する発券機の用紙排出機構において、連続用紙収納部と、連続用紙収納部から券売口へ用紙を送出する用紙排出部と、連続用紙を所定の長さで切断する切断手段と、連続用紙収納部と用紙排出部との間で連続用紙を偏倚させるガイド部と、ガイド部を移動自在に保持する保持手段と、保持手段の移動により作動して信号を出力する検出手段と、検出手段の出力信号により強制的に連続用紙の切断信号を出力する信号手段とからなり、券売口から連続用紙を強制的に引き出したとき、ガイド部の移動により生じる検出手段の出力信号に基づき、信号手段が作動して強制的に連続用紙を切断するように構成したものである。
【０００９】
さらに、請求項５の発明にかかる用紙排出機構は、前記表示手段による異状信号の表示は、音を介して行われることを特徴とする。
【００１０】
さらに、請求項６の発明にかかる用紙排出機構は、前記検出手段の出力信号により撮像装置１１ｃが作動して、発券機の周辺を撮影して、周囲の状況を録画するように作動するように構成したものである。
【００１１】
【発明の実施の形態】
以下、本発明の一実施の形態について、図面を参照して詳細に説明する。
図1において、金券、各種チケット及び指定席券などの、発券機としての自動販売機の外装ケース１には、正面側に金券などの用紙取り出し口２と、紙幣投入口７ａ、硬貨投入口７ｂと、返却口８とが設けられ、さらに、購入券等の種別表示窓９及びこれらに対応する選択ボタン１０が設けられている。
また、自動販売機の異状を表示する警告ランプ１１ａ及びスピーカー１１ｂが、警報表示手段１１として設けられている。さらに、モニター用の撮像装置１１ｃが備えられている。スピーカー１１ｂは、警報音響または警報音声を発することによって、異状を表示するために設けられている。撮像装置１１ｃは警報表示手段１１として機能し、自動販売機の周辺を撮影して、周囲の状況を録画するように作動する。
【００１２】
図２は、金券などの自動販売機の内部機構を説明する構成図で、連続ロール紙３が取り出し自在な状態で、用紙収納部Ｈの取り付け軸３ａに取り付けられた状態を示している。連続ロール紙３から用紙取り出し口２の方向に向けて、プリンター４、切断手段６、用紙ガイド部１２、用紙排出部５が順次配置されている。連続ロール紙３には、予め用途に応じた種類ごとの形式でベース印刷がなされており、選択ボタン１０によって選択された指定席番号などが、販売日等と共に追加的にプリンター４によって印刷される。プリンター４は、サーマルヘッド４ａ、プラテンローラ４ｂから構成されるが、ドットプリンター、インクジェットプリンター、レーザープリンターなどでも良い。
切断手段６は、連続ロール紙３を一枚ごとに切断して販売するために、作動完了信号に応じて適宜用紙を切断するものである。
用紙排出部５は、上下二つの回転ローラからなり、回転によってその間に挟まれる用紙３を、用紙収納部Ｈから取り出し口２の方向へ送り出す。
【００１３】
一方、用紙ガイド部１２は、凹面を有する受け部材１２ａと、凸面を有する押部材１２ｂとからなり、その間に挟まれる連続ロール紙３を、下側に偏倚させるようにばね１２ｃが付勢されている。連続ロール紙３が取り出し口から強引に引き出されたとき、用紙３の張力によって用紙ガイド部１２の押部材１２ｂが押戻されて、用紙３の偏倚が解かれ用紙が一直線状になるように、このばね１２ｃが圧縮される。このようにばね１２ｃは、連続ロール紙３を偏倚させた位置に保持するための保持手段として機能する。
用紙ガイド部１２が押戻されることによって、押部材１２ｂの背面に設けられた検出手段としての電気接点１３が閉成され、この信号を受けて図示しない公知の方法で、異状警報信号が出力される。そして、警告ランプ１１ａ及びスピーカー１１ｂが作動して、警報を発することができる。さらに、撮像装置１１ｃが警報表示手段１１として作動し、自動販売機の周辺を撮影して、周囲の状況を録画するように作動するから、不正に自動販売機が操作された時の状況がわかる。
【００１４】
上記実施例における連続ロール紙３を、折りたたみ連続紙に置換しても同様に実施でき同一効果を生じさせ得る。また、電気接点１３を磁気検出器、静電容量式検出器あるいは光学式検出器などの検出手段に置換することもできる。
さらに、ばね１２ｃは、用紙ガイド部１２を偏倚させるだけであるから、磁気力等による保持手段に置換することもできる。また、用紙排出部５のローラを、一方向クラッチとして構成し、用紙３が強制的に引っ張られた時、このクラッチがスリップして異状を検出するようにすれば、用紙ガイド部１２を廃止し、この一方向クラッチのスリップ機構を検出手段にすることができる。
さらに、切断手段６を用紙排出部５の近傍に配置しても良く、排出される用紙のサイズにあわせて選択することができる。
なお、本発明は、上記実施形態に限定されるものではなく、本発明の技術的思想の範囲内で、適宜変更して実施することができるものである。
【００１５】
【発明の効果】
以上のように、請求項1の発明にかかる用紙排出機構によれば、用紙利用時の操作に応動して、収納した連続用紙を所定の様式で排出する用紙排出機構において、連続用紙収納部と、連続用紙収納部から取り出し口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により異状信号を表示する表示手段とからなり、取り出し口から用紙を強制的に引き出したとき、ガイド部の移動により生じる検出手段の出力信号に基づき、表示手段に異状信号を表示するように構成したので、このような装置の異状操作がなされていることを瞬時に検出して警報を発し、不正な行為を未然に防止することができるようになる。
【００１６】
また、請求項２の発明にかかる用紙排出機構によれば、用紙利用時の操作に応動して、収納した連続用紙を所定の様式で排出する用紙排出機構において、連続用紙収納部と、連続用紙収納部から取り出し口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により強制的に連続用紙の切断信号を出力する信号手段とからなり、取り出し口から連続用紙を強制的に引き出したとき、ガイド部の移動により生じる検出手段の出力信号に基づき、信号手段が作動して強制的に連続用紙を切断するように構成したので、このような装置の異状操作がなされていることを瞬時に検出して、内部機構に支障が生じないように対処すると共に、不正な行為を未然に防止することができるようになる。
【００１７】
さらに、請求項３の発明にかかる用紙排出機構によれば、券購入の操作に応動して、収納した連続用紙を所定の様式で券売する発券機の用紙排出機構において、連続用紙収納部と、連続用紙収納部から券売口へ用紙を送出する用紙排出部と、用紙を所定の長さで切断する切断手段と、連続用紙収納部と用紙排出部との間で用紙を偏倚させるガイド部と、ガイド部を移動自在に保持する保持手段と、保持手段の移動により作動して信号を出力する検出手段と、検出手段の出力信号により異状信号を表示する表示手段とからなり、券売口から用紙を強制的に引き出したとき、ガイド部の移動により生じる検出手段の出力信号に基づき、表示手段に異状信号を表示するように構成したので、このような発券機の異状操作がなされていることを瞬時に検出して警報を発し、不正な行為や高額金の被害を未然に防止することができるようになる。
【００１８】
さらに、請求項４の発明にかかる用紙排出機構によれば、券購入の操作に応動して、収納した連続用紙を所定の様式で券売する発券機の用紙排出機構において、連続用紙収納部と、連続用紙収納部から券売口へ用紙を送出する用紙排出部と、連続用紙を所定の長さで切断する切断手段と、連続用紙収納部と用紙排出部との間で連続用紙を偏倚させるガイド部と、ガイド部を移動自在に保持する保持手段と、保持手段の移動により作動して信号を出力する検出手段と、検出手段の出力信号により強制的に連続用紙の切断信号を出力する信号手段とからなり、券売口から連続用紙を強制的に引き出したとき、ガイド部の移動により生じる検出手段の出力信号に基づき、信号手段が作動して強制的に連続用紙を切断するように構成したので、このような発券機の異状操作がなされていることを瞬時に検出して、内部機構に支障が生じないように対処すると共に、不正な行為や高額金の被害を未然に防止することができるようになる。
【００１９】
さらに、請求項５の発明にかかる用紙排出機構によれば、前記表示手段による異状信号の表示は、音を介して行われるから、異状操作がなされていることを音響や音声で表示し警報を発することができる。
【００２０】
さらに、請求項６の発明にかかる用紙排出機構によれば、前記検出手段の出力信号により撮像装置１１ｃが作動し、発券機の周辺を撮影して周囲の状況を録画するように作動するように構成したから、不正行為が行われた当時の状況のみが、常時録画するものに比べて効率的に画像によって確認できる。
【００２１】
その結果、この発明によれば、高額の金券やチケットの自動券売機において、盗難や悪用を目的として不正に用紙が引き出されることがなく、不当に高金額が記入された金券となったり、或いは重複したチケットが不正に流通するようなこともなく、被害が大きくなったりして問題となるようなこともなくなる。また、印字装置によって発券時に必要事項をプリントして排出するようにした自動券売機では、印字装置や用紙送り装置に故障を生じる虞もなくなり、この種の装置を長期に亘って有効に使用し続けることができるようになる。
【図面の簡単な説明】
【図１】本発明の実施の一形態による用紙排出機構の全体構成を示す斜視図である。
【図２】本発明の実施の一形態による用紙排出機構の要部説明図である。
【図３】従来の用紙排出機構を示す図面である。
【符号の説明】
１  外装ケース
２  用紙取り出し口
３  連続用紙
Ｈ  連続用紙収納部
３ａ  取付軸
４  プリンター
４ａ  サーマルヘッド
４ｂ  プラテンローラ
５  用紙排出部
６  切断手段
７ａ  紙幣投入口
７ｂ  硬貨投入口
８  返却口
９  種別表示窓
１０  選択ボタン
１１  表示手段
１１ａ  警告ランプ
１１ｂ  スピーカ
１１ｃ  撮像装置
１２  用紙ガイド部
１２ａ  受け部材
１２ｂ  押部材
１２ｃ  保持手段
１３  電気接点
【図１】
0003856305.tif 000002
【図２】
0003856305.tif 000003
【図３】
0003856305.tif 000004